(57)【要約】【課題】被固定部材を容易にコンクリート壁に固定でき、キャップの取り付けも簡単・確実であり、アンカーの防錆効果があると共に安全性にも優れ、搬送中等にも確実に保護でき、コスト安なキャップ付きオールアンカーを提供する。【解決手段】ネジ部６と固定ナット３と座金４とキャップ５とを備えたものであって、キャップがネジ部先端に位置するアンカーピン８の打撃部９及びネジの先端側を覆う覆い部１０と固定ナットを嵌合させる嵌合部１１と座金外周に係止される抜け防止用環状溝部１２とで構成され、キャップが塩化ビニールで一体成形されていることを特徴とするキャップ付きオールアンカー。【選択図】図１
0003109962.tif 000002
【実用新案登録請求の範囲】
【請求項１】
ネジ部と固定ナットと座金とキャップとを備えたキャップ付きオールアンカーであって、前記キャップをネジ部先端に位置するアンカーピンの打撃部及びネジの先端側を覆う覆い部と固定ナットを嵌合させる嵌合部と座金外周に係止される抜け防止用環状溝部とで構成し、該キャップを塩化ビニールで一体成形したことを特徴とするキャップ付きオールアンカー。
【考案の詳細な説明】
【技術分野】
【０００１】
本考案は、ネジ部と固定ナットと座金とキャップとを備えたキャップ付きオールアンカーに関するものである。
【背景技術】
【０００２】
従来、アンカーボルト等のボルトキャップとしては、キャップ内上部にガイド筒を形成しキャップ内に装着される別体の止め部材を設けたものがある（例えば、特許文献１参照。）。また、キャップ内にシーリング材，スポンジ等を詰めた錆や腐食を防止するものがある（例えば、特許文献２参照。）。
【０００３】
【特許文献１】特開平７−２９３５３７号公報
【特許文献２】登録実用新案第３０００８１１号公報
【考案の開示】
【考案が解決しようとする課題】
【０００４】
ところで、前記公知のものでは、キャップを構成するのに複数個の部材を使用することでコストが高くなると共に簡単・確実にキャップをアンカーボルト等の突出部を覆うことが困難であるという虞がある。
【０００５】
本考案は、従来の技術の有するこのような問題点に鑑みてなされたものであり、その目的とするところは、被固定部材を容易にコンクリート壁に固定でき、キャップの取り付けも簡単・確実であり、アンカーの防錆効果があると共に安全性にも優れ、搬送中等にも確実に保護でき、コスト安なキャップ付きオールアンカーを提供しようとするものである。
【課題を解決するための手段】
【０００６】
上記目的を達成するために、本考案におけるキャップ付きオールアンカーは、ネジ部と固定ナットと座金とキャップとを備えたキャップ付きオールアンカーであって、前記キャップをネジ部先端に位置するアンカーピンの打撃部及びネジの先端側を覆う覆い部と固定ナットを嵌合させる嵌合部と座金外周に係止される抜け防止用環状溝部とで構成し、該キャップを塩化ビニールで一体成形したことを特徴とするものである。
【考案の効果】
【０００７】
本考案のキャップ付きオールアンカーは、キャップをネジ部先端に位置するアンカーピンの打撃部及びネジの先端側を覆う覆い部と固定ナットを嵌合させる嵌合部と座金外周に係止される抜け防止用環状溝部とで構成し、該キャップを塩化ビニールで一体成形したので、被固定部材を容易にコンクリート壁に固定でき、キャップの取り付けも簡単・確実であり、アンカーの防錆効果があると共に安全性にも優れ、搬送中及びアンカー埋込み後で被固定部材取付け前においてもキャップを付けておくことにより固定ナット，座金，アンカーピンを分離することなく確実に保護でき、コスト安なものとなる。
【考案を実施するための最良の形態】
【０００８】
図１ないし図４は本考案の一実施例に関するものであり、図１は本考案に係るキャップ付きオールアンカーの正面概略図、図２は図１のＡ部拡大図、図３はキャップの平面図、図４はキャップの裏面図である。
【０００９】
図において、１は被固定部材をコンクリート壁等に固定するために使用されるキャップ付きオールアンカーであり、該キャップ付きオールアンカー１はアンカー本体２と固定ナット３と座金４とキャップ５とで構成されている。
【００１０】
前記アンカー本体２は鋼製の中空円柱体で、一端側に雄ねじが螺刻されているネジ部６が形成され、他端側にはコンクリート内に埋め込まれる切り込み部７，７, …が形成されている。そして、ネジ部６の先端から前記切り込み部７，７, …をコンクリート内で開口させるアンカーピン８がアンカー本体２の中空部に挿入され、該アンカーピン８の打撃部９が前記ネジ部６の先端から突出されている。
【００１１】
また、前記ネジ部６には鋼製の固定ナット３と座金４とが螺合されている。
なお、座金付きナットを使用するとナットと座金が離れずに使い勝手が好くなる。
【００１２】
前記キャップ５は塩化ビニール製でネジ部６先端に位置するアンカーピン８の打撃部９及びネジの先端側を覆う覆い部１０と固定ナット３を嵌合させる嵌合部１１と座金４外周に係止される抜け防止用環状溝部１２とで構成され、射出成形法により塩化ビニールで一体成形されている。
【００１３】
以上の構成からなるキャップ付きオールアンカー１において、先ずコンクリート壁等に形成した孔にキャップ５を外した状態のオールアンカー１を挿通し、アンカー本体２の切り込み部７をコンクリート内に埋め込み、次いでネジ部６先端に形成したアンカーピン８の打撃部９を金槌等で叩き込むことによりアンカーピン８がアンカー本体２の他端側を突き破り、切り込み部７，７, …押し拡げられてコンクリート内に圧接されてアンカー本体２はコンクリート内に固定される。そして、突出部に被固定部材を挿着したあと、コンクリート壁に突出してるネジ部６に座金４と固定ナット３とを螺合させることにより被固定部材はコンクリート壁に容易に固定することができる。
【００１４】
そして、被固定部材がコンクリート壁に固定された後、コンクリート壁から突出しているアンカーの部分に前記キャップ５を覆わせる。この際、キャップ５は塩化ビニール製で弾性を有し、キャップ５の嵌合部１１が固定ナット３を充分に嵌合し、さらに座金４の外周がキャップ５の抜け防止用環状溝部１２に係止されるので簡単・確実にキャップ５をアンカーボルトに覆わせることができる。
【００１５】
このようなキャップ付きオールアンカー１はアンカー，固定ナット３及び座金４の防錆効果があると共にコンクリート壁から突出しているアンカーの部分を全てキャップ５で覆わせることにより怪我を防止する安全性にも優れるものとなる。
【００１６】
また、キャップ付きオールアンカー１の搬送中及びアンカー埋込み後で被固定部材取付け前においてもキャップ５の抜け防止用環状溝部１２を座金４に係着させておくようにして、固定ナット３，座金４，アンカーピン８を分離することなく確実にキャップ付きオールアンカー１を保護する。
【産業上の利用可能性】
【００１７】
なお、このキャップ付きオールアンカー１はマンホール内の梯子の設定，マンホール内の中間スラブの配置設定等で使用することが可能である。
【図面の簡単な説明】
【００１８】
【図１】図１は本考案に係るキャップ付きオールアンカーの正面概略図である。
【図２】図２は図１のＡ部拡大図である。
【図３】図３はキャップの平面図である。
【図４】図４はキャップの裏面図である。
【符号の説明】
【００１９】
１    キャップ付きオールアンカー
３    固定ナット
４    座金
５    キャップ
６    ネジ部
８    アンカーピン
９    打撃部
１０  覆い部
１１  嵌合部
１２  抜け防止用環状溝部
【図１】
0003109962.tif 000003
【図２】
0003109962.tif 000004
【図３】
0003109962.tif 000005
【図４】
0003109962.tif 000006